(57)【要約】【課題】表示装置に注目する人物の動作に応答する表示制御を手軽に実現させることが可能な表示制御装置、表示制御方法及びコンピュータプログラムを提供する。【解決手段】接続部を有し、該接続部を介して接続される表示装置における表示を制御する表示制御装置であって、画像又は動画像を記憶してある記憶部と、前記接続部を介して前記表示装置と接続された場合に、前記記憶部に記憶してある画像又は動画像を前記表示装置へ前記接続部を介して出力する出力部と、前記表示装置にて表示される画像又は動画像を視認可能な範囲に存在する人物からの特定の音声、又は該人物による特定の動作を検出する検出部と、該検出部が特定の音声又は動作を検出した場合に、該特定の音声又は動作への応答として前記表示装置における表示を変更させる表示変更部とを備える。【選択図】図１
2018205628.tif 000002
【特許請求の範囲】
【請求項１】
接続部を有し、該接続部を介して接続される表示装置における表示を制御する表示制御装置であって、
画像又は動画像を記憶してある記憶部と、
前記接続部を介して前記表示装置と接続された場合に、前記記憶部に記憶してある画像又は動画像を前記表示装置へ前記接続部を介して出力する出力部と、
前記表示装置にて表示される画像又は動画像を視認可能な範囲に存在する人物からの特定の音声、又は該人物による特定の動作を検出する検出部と、
該検出部が特定の音声又は動作を検出した場合に、該特定の音声又は動作への応答として前記表示装置における表示を変更させる表示変更部と
を備えることを特徴とする表示制御装置。
【請求項２】
前記接続部は、表示装置との間で画像又は動画像の信号及び制御用の信号を授受する端子を内蔵するコネクタであり、該コネクタを突出させた外装筐体を備える
ことを特徴とする請求項１に記載の表示制御装置。
【請求項３】
接続部及び記憶部を有するコンピュータが、前記接続部を介して接続される表示装置における表示を制御する表示制御方法であって、
前記コンピュータは、
前記接続部を介して前記表示装置と接続された場合に、前記記憶部に記憶してある画像又は動画像を前記表示装置へ前記接続部を介して出力し、
前記表示装置にて表示される画像又は動画像を視認可能な範囲に存在する人物からの特定の音声、又は該人物による特定の動作を検出し、
特定の音声又は動作を検出した場合に、該特定の音声又は動作への応答として前記表示装置における表示を変更させる
処理を実行することを特徴とする表示制御方法。
【請求項４】
接続部を有するコンピュータに、該接続部を介して接続される表示装置における表示を制御させるコンピュータプログラムであって、
前記コンピュータに、
前記接続部を介して前記表示装置と接続された場合に、前記記憶部に記憶してある画像又は動画像を前記表示装置へ前記接続部を介して出力し、
前記表示装置にて表示される画像又は動画像を視認可能な範囲に存在する人物からの特定の音声、又は該人物による特定の動作を検出し、
特定の音声又は動作を検出した場合に、該特定の音声又は動作への応答として前記表示装置における表示を変更させる
処理を実行させることを特徴とするコンピュータプログラム。
【発明の詳細な説明】
【技術分野】
【０００１】
本開示は、デジタルサイネージを手軽に実現する表示制御装置、表示制御方法及びコンピュータプログラムに関する。
【背景技術】
【０００２】
ポスター、看板等による広告掲示のみならず、不特定多数の公衆が通行する場所に設置された表示装置に広告宣伝用の動画像を表示させる電子看板（デジタルサイネージ）システムが普及している。このようなシステムでは、電子看板即ち表示装置を制御する制御装置に予め動画像を記憶しておき、記憶された動画像を単純に巡回的に表示させるか、又は表示装置と通信接続しているコンテンツ配信サーバによって表示内容が制御されるようにしてある（特許文献１等）。その他、表示装置にセットトップボックスと呼ばれるコンテンツのクライアント装置を接続し、このクライアント装置が配信サーバ装置からネットワーク経由でコンテンツデータを受信して、表示装置に表示させるシステムも存在している（特許文献２等）。
【０００３】
昨今のデジタルサイネージでは、単にスケジュール通りに動画像を表示させるのみならず、表示装置前に存在する人物が興味を持つようなコンテンツへ表示内容を変更するなどの処理が提案されている（特許文献３、４等）。
【先行技術文献】
【特許文献】
【０００４】
【特許文献１】特開２０１５−０９５００４号公報
【特許文献２】特開２０１７−０３３４４１号公報
【特許文献３】特開２０１６−１７７２６５号公報
【特許文献４】特開２０１７−００９６５２号公報
【発明の概要】
【発明が解決しようとする課題】
【０００５】
特許文献１−４に開示されているデジタルサイネージシステムにてコンテンツ配信サーバからコンテンツデータを提供する場合の多くは、実際に広告宣伝又は公共標識等を表示する表示装置と、コンテンツ配信サーバとは遠隔した状態で配置されている。したがって、表示装置又は該表示装置に接続されるクライアント装置が、通信によりコンテンツ配信サーバと接続して双方向に情報を送受信することが前提としてある。
【０００６】
また、表示装置前に存在する特定の人物が興味を持つような特定のコンテンツへ表示を変更させる技術を実現するためには、特許文献３又は特許文献４に開示されているように、その特定の人物が所持する携帯端末装置との通信を行なうことができるようにしてある。
【０００７】
このようにデジタルサイネージシステムでは、表示装置を通信によりコンテンツ配信サーバと安全に接続できるようにするなどの大掛かりなシステムが必要になる。また表示装置に注目する特定の人物に応じた表示制御を行なうためには、表示装置の制御プログラムを置き換える等、大掛かりな作業及びコストを要する。
【０００８】
本開示は斯かる事情に鑑みてなされたものであり、表示装置に注目する人物の動作に応答する表示制御を手軽に実現させることが可能な表示制御装置、表示制御方法及びコンピュータプログラムを提供することを目的とする。
【課題を解決するための手段】
【０００９】
本開示の表示制御装置は、接続部を有し、該接続部を介して接続される表示装置における表示を制御する表示制御装置であって、画像又は動画像を記憶してある記憶部と、前記接続部を介して前記表示装置と接続された場合に、前記記憶部に記憶してある画像又は動画像を前記表示装置へ前記接続部を介して出力する出力部と、前記表示装置にて表示される画像又は動画像を視認可能な範囲に存在する人物からの特定の音声、又は該人物による特定の動作を検出する検出部と、該検出部が特定の音声又は動作を検出した場合に、該特定の音声又は動作への応答として前記表示装置における表示を変更させる表示変更部とを備える。
【００１０】
本開示の表示制御方法は、接続部及び記憶部を有するコンピュータが、前記接続部を介して接続される表示装置における表示を制御する表示制御方法であって、前記コンピュータは、前記接続部を介して前記表示装置と接続された場合に、前記記憶部に記憶してある画像又は動画像を前記表示装置へ前記接続部を介して出力し、前記表示装置にて表示される画像又は動画像を視認可能な範囲に存在する人物からの特定の音声、又は該人物による特定の動作を検出し、特定の音声又は動作を検出した場合に、該特定の音声又は動作への応答として前記表示装置における表示を変更させる処理を実行する。
【００１１】
本開示のコンピュータプログラムは、接続部を有するコンピュータに、該接続部を介して接続される表示装置における表示を制御させるコンピュータプログラムであって、前記コンピュータに、前記接続部を介して前記表示装置と接続された場合に、前記記憶部に記憶してある画像又は動画像を前記表示装置へ前記接続部を介して出力し、前記表示装置にて表示される画像又は動画像を視認可能な範囲に存在する人物からの特定の音声、又は該人物による特定の動作を検出し、特定の音声又は動作を検出した場合に、該特定の音声又は動作への応答として前記表示装置における表示を変更させる処理を実行させる。
【００１２】
本開示の表示制御装置では、表示装置に接続された場合に表示制御装置に記憶されている画像又は動画像が表示装置にて表示されるように出力され、画像又は動画像が表示される。その間に、表示装置前に存在する人物が特定の音声を発するか、又は特定の動作を行なった場合、表示制御装置は、その特定の音声又は特定の動作を検出し、検出した内容に応じて表示装置における表示内容を変更させる。
【００１３】
本開示の表示制御装置は、前記接続部は、表示装置との間で画像又は動画像の信号及び制御用の信号を授受する端子を内蔵するコネクタであり、該コネクタを突出させた外装筐体を備える。
【００１４】
本開示の表示制御装置では、コネクタを突出させた外装筐体を有する構成とすることにより、そのコネクタのレセプタクルを備える表示装置に表示制御装置を装着させるという容易な構成で、表示制御装置による表示制御を実現する。
【発明の効果】
【００１５】
本開示の表示制御装置により、手軽に表示装置に注目する人物の動作に応じて表示を制御するデジタルサイネージ又は公共標識の掲示が実現可能になる。したがって既設のデジタルサイネージ用の表示装置を入れ替えることなく利用することができ、コストも抑制して、表示装置毎に多様なコンテンツを表示させることも可能になる。
【図面の簡単な説明】
【００１６】
【図１】実施の形態１における表示システムの概要を示す説明図である。
【図２】実施の形態１の表示システムの構成を示すブロック図である。
【図３】実施の形態１の表示システムで実行される処理手順の一例を示すフローチャートである。
【図４】実施の形態２の表示システムの構成を示すブロック図である。
【図５】実施の形態２における表示制御装置による処理手順の一例を示すフローチャートである。
【図６】実施の形態３の表示システムの構成を示すブロック図である。
【図７】実施の形態３における表示制御装置による処理手順の一例を示すフローチャートである。
【発明を実施するための形態】
【００１７】
（実施の形態１）
図１は、実施の形態１における表示システムの概要を示す説明図である。本開示の表示システムは、表示装置２と該表示装置２に接続される表示制御装置１とを含む。表示制御装置１は、図１に示す例ではドングルの形態をなしており、ＨＤＭＩ（High-Definition Multimedia Interface、登録商標）端子である接続部１１を露出させてある細長の筐体１２内に各構成部を収納してある。筐体１２はオペレータが掌に収めることができる程度にコンパクトである。この表示制御装置１を表示装置２が備える入力インタフェース（図２参照の入力部）に接続するという簡易な構成で、表示装置２に表示させる映像コンテンツの制御が可能になる。なお表示制御装置１が容易に取り外されないように、表示装置２の表示部以外は例えば図１であれば柱を囲むようにしてカバーをかけつつ、表示制御装置１に設けられるマイクロフォン（図２の音声入力部１４）にて集音ができるようにしてあるとよい。
【００１８】
なお図１に示す概要では、表示装置２には公共標識として周辺案内を表示するケースについて図示されている。図１に示す例では、建造物の柱に備えつけられている表示装置２に周辺の地図を示す画像を表示させている。不特定多数の公衆の内、表示装置に表示されている映像コンテンツ（地図）に興味を示して足を止めた人物が特定の動作を行なった場合に、表示制御装置１によってその動作に応じた表示内容の変更、例えば「行き先はどこですか？」などと表示させている地図に関する呼びかけ文を表示又は音声で出力し、これに対して更に音声又は動作による操作を受け付けることを可能である。以下、表示制御装置１により上述したような表示制御を容易に実現するための構成について詳細を説明する。
【００１９】
図２は、実施の形態１の表示システムの構成を示すブロック図である。表示システムは、表示制御装置１及び表示装置２を含む。表示制御装置１０は、制御部１０、接続部１１、記憶部１３、音声入力部１４、及びセンサ１５を備える。制御部１０は、１若しくは複数のＣＰＵ（Central Processing Unit）又はマルチコアＣＰＵを用い、ＲＯＭ（Read Only Memory）、ＲＡＭ（Random Access Memory）、入出力インタフェース、タイマ等を有するマイクロコントローラである。制御部１０は内蔵ＲＯＭ又は記憶部１３に記憶されている制御プログラムを実行することにより、後述するように表示装置２における表示内容を制御する。
【００２０】
接続部１１は、上述したようにＨＤＭＩ端子である。制御部１０は、接続部１１を介して表示装置２との間で映像信号、音声信号及び制御信号を入出力する。接続部１１は、制御部１０が送受信する制御信号及び映像信号の入出力を実現するものであればＨＤＭＩ端子に限らない。
【００２１】
記憶部１３は、フラッシュメモリ又はＥＥＰＲＯＭ（Electrically Erasable Programmable Read-Only Memory ）等の不揮発性メモリである。記憶部１３には、制御プログラム１１Ｐ及び音声認識プログラム１２Ｐが記憶されている他、表示装置２に表示させる映像のコンテンツ１Ｄが予め記憶されている。
【００２２】
音声入力部１４はマイクロフォンであり、例えば表示制御装置１の筐体１２表面に設けられている。マイクロフォンの指向性は、表示装置２前の特定の範囲に人物が立った場合に、当該人物から発せられる音声（発話、又は動作による音）を入力できるようにしてあればよい。なお音声入力部１４は、表示装置２の既設のマイクロフォンを利用してもよく、制御部１０はこのマイクロフォンから音声信号を接続部１１経由で入力すればよい。表示制御装置１の制御部１０は、上述した音声認識プログラム１２Ｐに基づき、音声入力部１４で入力した音声を認識することができる。具体的には制御部１０は、音声認識プログラム１２Ｐに基づき音声入力部１４で入力した音声から特定の単語（サービス名、企業名等）を認識する。あるいは制御部１０は、音声認識プログラム１２Ｐに基づき音声入力部１４で入力した音声から、表示装置２前の人物の特定の動作による音、例えば指スナップ音、拍手音を認識する。なお制御部１０は、音声認識プログラム１２Ｐに基づきソフトウェア的に音声認識処理を行なうこととしているが、代替として音声認識用ＩＣ（Integrated Circuit）を用いて実現してもよい。
【００２３】
センサ１５は、赤外線の出力部と受光部とを含むセンサである。センサ１５は、表示制御装置１の筐体に設けられたセンサ１５の受光部の受光範囲内であって所定の距離以内に存在する物体との距離に応じた信号レベルを出力する。受光部は表示制御装置１の筐体とは別途異なる筐体に設けられてもよく、この筐体が表示装置１０の縁部付近に取り付けられてもよい。制御部１０は、センサ１５により出力される信号レベルから物体への距離を検知し、信号パターンから表示装置２前の人物の特定の動作、例えば手をかざす動作を検出することが可能である。なおセンサ１５は必須ではなくまた、可視光カメラ等で代替可能である。
【００２４】
また音声入力部１４及びセンサ１５は、別途センサ体として表示制御装置１の筐体１２とは異なる部品として設けられてもよい。例えば表示装置２の上縁に設けたセンサ体でこれを実現し、センサ体と制御部１０とを無線又は有線により接続して構成してもよい。
【００２５】
表示装置２は、制御部２０、記憶部２１、パネル２２、駆動部２３、入力部２４及びスピーカ２５を備える。制御部２０は、ＣＰＵ又はマイクロプロセッサを用いて各構成部の動作を制御する。記憶部２１は、フラッシュメモリ又はＥＥＰＲＯＭ（Electrically Erasable Programmable Read-Only Memory ）等の不揮発性メモリである。記憶部２１には、表示制御装置１における制御プログラム１１Ｐに基づく制御部１０の処理に対応する動作を制御部２０側で実現するためのプログラムが記憶されている。該プログラムとは、表示制御装置１が接続された場合に、当該表示制御装置１を自動的に認識し、パネル２２に表示させる映像を表示制御装置１からの映像信号へ切り替える動作を実現する既存のプログラムである。その他記憶部２１には、制御部２０が参照するデータが記憶されている。
【００２６】
パネル２２は、液晶パネル、有機ＥＬ（Electroluminescence ）等を用いる。駆動部２３は、入力する映像信号に基づきパネル２２の各素子を駆動し、画像の表示を実現する。入力部２４は、ＨＤＭＩ端子である。制御部２０は入力部２４を介してパネル２２に表示させる映像信号を入力すると、これを駆動部２３へ与える。スピーカ２５は、制御部２０により与えられる音声信号に基づき音声を出力する。
【００２７】
図３は、実施の形態１の表示システムで実行される処理手順の一例を示すフローチャートである。表示制御装置１の制御部１０は起動するとまず、接続部１１により表示装置２と接続しているか否かを判断する（ステップＳ１）。接続していないと判断された場合（Ｓ１：ＮＯ）、制御部１０は処理をステップＳ１へ戻し、接続していると判断されるまで待機する。接続していると判断された場合（Ｓ１：ＹＥＳ）、制御部１０は表示装置２の制御部２０と制御信号の送受信のための接続を確立する（ステップＳ２）。
【００２８】
ステップＳ１において制御部１０は、パワーオン状態の表示装置２と接続部１１により接続されたことを契機に起動し、制御信号の送受信のための接続を確立するようにしてもよい（Ｓ２）。なお筐体１２にパワースイッチを設け、パワースイッチの押下により表示制御装置１が起動及び休止状態となるようにし、表示制御装置１が接続部１１によって表示装置２と接続した状態で起動した場合には、制御信号が表示装置２へ出力されて表示装置２が起動するようにしてある。また、表示制御装置１が接続部１１によって表示装置２と接続した状態で休止状態となった場合には、表示装置２も休止状態となる。
【００２９】
次に制御部１０は、記憶部１３に記憶してあるコンテンツ１Ｄを読み出し（ステップＳ３）、読み出したコンテンツ１Ｄに含まれる映像信号を接続部１１から出力する（ステップＳ４）。ステップＳ４において制御部１０はコンテンツ１Ｄに含まれる映像信号を順次出力してもよいし、別途記憶部１３にスケジュールを記憶しておき、このスケジュールに基づいて映像信号をコンテンツ１Ｄから選択して出力してもよい。
【００３０】
コンテンツ１Ｄから映像信号を出力中に制御部１０は、音声入力部１４及び音声認識プログラム１２Ｐに基づいて特定の音若しくは音声を認識したか、又は、センサ１５により所定の距離以内の特定の動作を検出したか否かを判断する（ステップＳ５）。ステップＳ５で制御部１０は、表示装置２前の人物の特定の動作（指スナップ、拍手）による音、特定の動作（手かざし、手振り）そのものを検出したか否かを判断する。
【００３１】
特定の動作を検出したと判断された場合（Ｓ５：ＹＥＳ）、制御部１０は検出した動作の内容に応じて表示装置２で表示される映像の内容を変更すべく映像信号を出力する（ステップＳ６）。
【００３２】
ステップＳ６にて制御部１０は例えば、出力中の映像信号に基づく映像の内容に対応する詳細情報の映像を表示させるように映像信号を変更してもよいし、出力中の映像信号に基づく映像に重畳させて文字、他のイラストを表示させてもよい。文字、他のイラストは例えば図１に示すように、吹き出しと、吹き出しの中に表示させる案内文とである。案内文は例えば「行き先はどこですか？」「御用はなんですか？」などの指示を対話で受け付けるための呼びかけ、表示されている広告コンテンツについて「１０ｍ先左手の１１番の販売店で販売中です」など、個別の詳細情報の説明文であってもよい。表示制御装置１は、接続される表示装置２と１対１で接続される装置であるから、接続される表示装置２の設置場所固有の情報を記憶させておき、その固有の情報に基づく案内を表示させることも容易に可能である。なおステップＳ６では制御部１０は、制御信号を出力して表示装置２に設けられているスピーカ２５から案内音声を出力させるように制御させてもよい。
【００３３】
その後制御部１０は、音声入力部１４及び音声認識プログラム１２Ｐに基づき、特定の人物からの問いかけ音声を受け付けるか、又はセンサ１５により特定の動作を受け付けたか否かを判断する（ステップＳ７）。問いかけ音声又は特定の動作を受け付けたと判断された場合（Ｓ７：ＹＥＳ）、制御部１０は、受け付けた音声又は動作に対して映像信号を変更するか、スピーカ２５から音声を出力させて応答し（ステップＳ８）、処理をステップＳ７へ戻して受け付けを継続し、その都度応答する。特定の動作とは例えば手を上下に振るアクションをしたか否かなどでよい。
【００３４】
特定の動作を検出しないと判断された場合（Ｓ５：ＮＯ）、又は、問いかけ音声又は特定の動作を受け付けないと判断したまま所定時間が経過した場合（Ｓ７：ＮＯ）、制御部１０は、接続部１１を介した表示装置２との接続が解除されたか否かを判断する（ステップＳ９）。ステップＳ９は、接続部１１が表示装置２の入力部２４から取り外されたか、又は表示装置２と接続されたままであっても表示装置２が休止状態となって確立されていた制御信号を送受信するための接続が切断された場合に、接続が解除されたと判断する。その他制御部１０は、自装置のパワースイッチが押下されて休止状態となる場合も接続が解除されたと判断する。
【００３５】
ステップＳ９にて接続が解除されていないと判断された場合（Ｓ９：ＮＯ）、制御部１０は処理をステップＳ４へ戻して映像信号の出力を継続する。一方、接続が解除されたと判断された場合（Ｓ９：ＹＥＳ）、制御部１０は処理を終了し、休止状態となる。
【００３６】
このように構成される表示制御装置１を用い、表示対象の表示装置２が持つ入力部２４（ＨＤＭＩ端子）に表示制御装置１を取り付けるという簡易な構成で、広告宣伝用のコンテンツを既設の表示装置２に表示させることができる。新たなコンテンツを表示させる場合には、表示制御装置１を取り替えるか、表示制御装置１を取り外して記憶部１３に記憶されているコンテンツ１Ｄの内容を書き換えればよい。
【００３７】
実施の形態１に示した表示システムにより、コンテンツ配信サーバと接続させること、又は公衆の内のいずれか表示装置２で表示されているコンテンツを注視する人物が所持する携帯端末装置と特定の情報交換等を行なうことなしに簡易な構成で、その特定の人物の動作に応じた表示制御が可能になる。
【００３８】
（実施の形態２）
図４は、実施の形態２の表示システムの構成を示すブロック図である。実施の形態２では、表示制御装置１は、制御部１０、接続部１１、記憶部１３、音声入力部１４、及びセンサ１５に加え、通信部１６を備え、表示装置２は更にカメラ２６を備える。なおカメラ２６は、表示制御装置１側に備えられていてもよい。また実施の形態２では、実施の形態２における表示制御装置１の通信部１６及び表示装置２のカメラ２６以外の構成部は、実施の形態１における構成と同様であるから、共通する構成について同一の符号を付して詳細な説明を省略する。
【００３９】
表示制御装置１の通信部１６は、無線通信モジュールである。通信部１６は、１対１の関係で接続する通信規格に準じたモジュールであることが好ましく、例えばＢＬＥ（ Bluetooth（登録商標） Low Energy ）を用いる。制御部１０は、通信部１６を介し、表示装置２前の人物が所持する携帯端末装置３と通信接続が可能である。
【００４０】
表示装置２のカメラ２６は、例えばＣＣＤ（Charge Coupled Device ）カメラであり、表示装置２前に立つ人物を撮影するように設けられてある。表示装置２の記憶部２１には、画像認識プログラム２１Ｐが記憶されている。制御部２０は、画像認識プログラム２１Ｐに基づき、カメラ２６から出力される映像信号のフレーム画像から、マッチング等によって人物領域を抽出する処理を行ない、抽出した人物領域に対応する人物の特定の動作を検出することが可能である。制御部２０は、特定の動作を検出すると表示制御装置１へ通知する。なおカメラ２６は表示制御装置１側に備えられてもよい。また表示制御装置１は、カメラ２６から映像信号を入力して制御部１０にて人物領域抽出処理を行なうようにしてもよい。
【００４１】
携帯端末装置３は、表示制御装置１に対するユーザインタフェースとして動作する。携帯端末装置３は所謂スマートフォンなどの汎用のコンピュータであり、制御部３０、記憶部３１、通信部３２、表示部３３、操作部３４及び音声入力部３５を備える。制御部３０はＣＰＵを用いて各構成部の動作を制御する。記憶部３１はフラッシュメモリ等の不揮発性メモリであり、携帯端末装置３が表示制御装置１のユーザインタフェースとして動作するための案内アプリ３１Ｐを記憶している。通信部３２は、複数の通信モジュールを含み、その内の１つは表示制御装置１の通信部１６に対応する通信規格に準じたモジュール、即ち実施の形態２ではＢＬＥにより表示制御装置１と通信接続が可能である。また表示部３３は、液晶パネル又は有機ＥＬ等を用い、制御部３０は案内アプリ３１Ｐに基づき、表示部３３に文字入力画面あるいは音声入力案内画面を表示させる。操作部３４は、表示部３３のパネル内蔵のタッチパネル、携帯端末装置３の筐体に備えられるボタンであり、制御部３０は操作部３４を介して英数字を含む文字入力等を受け付ける。音声入力部３５はマイクロフォンであり、制御部３０は音声入力部３５で入力した音声に対して音声認識処理を実行してテキストに変換することで文字入力を受け付けることも可能である。
【００４２】
図５は、実施の形態２における表示制御装置１による処理手順の一例を示すフローチャートである。なお図５のフローチャートに示す処理手順の内、実施の形態１の図３に示した処理手順と共通する手順については同一のステップ番号を付して詳細な説明を省略する。
【００４３】
実施の形態２では、制御部１０はコンテンツ１Ｄから映像信号を出力中に、案内アプリ３１Ｐを起動している携帯端末装置３と通信部１６によって通信可能か否かを判断する（ステップＳ１５）。通信可能でないと判断された場合（Ｓ１５：ＮＯ）、制御部１０は処理をステップＳ５へ進める。
【００４４】
通信可能であると判断された場合（Ｓ１５：ＹＥＳ）、制御部１０は、携帯端末装置３へ案内文、文字入力画面、又は音声入力案内を表示させる画面情報を通信部１６から送信する（ステップＳ１６）。制御部１０は、携帯端末装置３から入力された文字又は音声入力からテキストへ変換された結果である操作情報を受信し（ステップＳ１７）、操作情報に基づく処理を行なって応答を出力し（ステップＳ１８）、処理をステップＳ１５へ戻す。
【００４５】
通信不可であると判断された場合（Ｓ１５：ＮＯ）、制御部１０は処理をステップＳ５へ進める。なお実施の形態２ではステップＳ５の特定の動作の検出に、カメラ２６からの映像信号に基づくフレーム画像から抽出される人物領域を用いる。制御部１０は、表示装置２の制御部２０から人物の特定の動作を検出したことによる通知を受けると、特定の動作を検出したと判断する（Ｓ５：ＹＥＳ）。
【００４６】
実施の形態２で示したように、ＢＬＥ等の１対１での近距離無線通信が可能な無線通信モジュールを備える表示制御装置１を使用することで、音声入力又は特定の動作のみでは困難な入力操作を、表示装置２前に存在する人物が普段使用している携帯端末装置３で実行することが可能である。コンテンツ配信サーバと接続させることなく表示制御装置１を表示装置２に接続するという簡易な構成で、表示装置２の前に存在する特定の人物にとって利便性の高い方法で個別の表示制御を行なうことが可能になる。
【００４７】
（実施の形態３）
図６は、実施の形態３の表示システムの構成を示すブロック図である。実施の形態３では、表示装置２が複数（図６では３台）設置されており、各々に表示制御装置１が接続されたときに１つの表示制御装置１がマスタとなって同一の映像コンテンツを同期させて表示させつつ、各々の表示装置２でユーザの動作に応じた表示制御を行なう。なおマスタとなる表示制御装置１とスレーブとなる表示制御装置１とでは、記憶部１３に記憶されている制御プログラム１１Ｐがマスタ用とスレーブ用とのいずれであるかで区別される。
【００４８】
実施の形態３における表示制御装置１の構成は、通信部１６を備えている点を除いて実施の形態１における表示制御装置１の構成と同一である。また通信部１６は、実施の形態２で示した通り、例えばＢＬＥの規格に準じた通信モジュールである。なおマスタとなる表示制御装置１に対し、スレーブとなる表示制御装置１ではコンテンツ１Ｄは記憶されていなくともよい。表示装置２は実施の形態１における表示装置２と同一の構成を有する。実施の形態３では、接続構成及び全体的な処理が異なる以外は実施の形態１又は２と同様であるから、共通する構成部については同一の符号を付して各々の詳細な説明を省略する。
【００４９】
なお実施の形態３では表示制御装置１の通信部１６は例えばＢＬＥ等の１対１の通信を行ないつつマルチホップ、メッシュ等と呼ばれる１対多の接続を可能とするモジュールを用いる。制御部１０は、通信部１６を介し、他の表示制御装置１の通信部１６と相互に識別して接続が可能である。
【００５０】
図７は、実施の形態３における表示制御装置１による処理手順の一例を示すフローチャートである。図７のフローチャートに示す処理手順の内、実施の形態１の図３に示した処理手順と共通する手順については同一のステップ番号を付して詳細な説明を省略する。
【００５１】
図７に示す通り、マスタとなる表示制御装置１とスレーブである表示制御装置１とでは、映像信号の出力タイミングを同期させるための出力開始指示を送信するか（ステップＳ２３）、その出力開始指示を受信するか（ステップＳ２４）の処理の違いを除き、同一の処理手順を実行する。
【００５２】
マスタである表示制御装置１では、コンテンツ１Ｄを読み出した後（Ｓ３）、制御部１０は読み出したコンテンツ１Ｄから映像信号を表示装置２へ出力する前に、通信部１６により送受信が可能な他の表示制御装置１の通信部１６に向けて出力開始指示を送信する（Ｓ２３）。出力開始指示は、受信したタイミング（又はそのタイミングから所定時間後）に出力を開始させるものであってもよいし、マルチホップによる出力開始指示の送信遅延を考慮して、各制御部１０が内蔵するタイマに基づく開始時刻（タイムスタンプ）を指示するものであってもよい。マスタの表示制御装置１は、出力開始指示を送信後に間もなく、又は指示した開始時刻に、映像信号を表示装置２へ出力する（Ｓ４）。その後の処理は、表示制御装置１個別の処理手順になるが、制御部１０は、定期的にステップＳ３又はステップＳ２３へ処理を戻して表示される映像を同期させるとよい。
【００５３】
スレーブである表示制御装置１では、コンテンツ１Ｄを読み出した後（Ｓ３）、制御部１０は読み出したコンテンツ１Ｄから映像信号を表示装置２へ出力する前に、通信部１６から出力開始指示を他の表示制御装置１から受信する（Ｓ２４）。制御部１０は、出力開始指示を受信するまで待機し、出力開始指示を受信してから、受信したタイミングから直ぐに、又は出力開始指示が示す時刻に、読み出してあるコンテンツ１Ｄの映像信号を表示装置２へ出力する（Ｓ４）。スレーブの表示制御装置１でも、その後の処理は個別に表示装置２前の人物の動作に応じた表示制御を行なうが、定期的にステップＳ３又はステップＳ２４へ処理を戻す。
【００５４】
実施の形態３に示した表示システムの構成により、複数の表示装置２に夫々表示制御装置１を装着させるという簡易な構成で、複数の表示装置２で表示される映像を同期させつつ、個別に表示装置２前に存在する人物の動作に応じた表示内容の変更が可能となる。例えば図１に示した例であれば、建造物の柱の四方四面夫々に表示装置２を１つずつ備え付け、それらに夫々表示制御装置１を接続させる。複数の表示装置２には周辺の地図を示す画像を表示させつつ、定期的に４つの表示装置２で、周辺の施設の宣伝コンセプトを示すための動画像を同期させて表示させる。そしていずれか１つの表示装置２の前に、人物が立って例えばスナップ音を発し場合に、その１つの表示装置２のみは、「行き先はどこですか？」などと表示させている地図に関する情報検索を受け付けることを可能である。このような表示制御を実現するために従来では、大掛かりなシステムが必要となったが、本開示の表示制御装置１を利用することで、容易に実現が可能である。
【００５５】
なお、上述のように開示された本実施の形態はすべての点で例示であって、制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【００５６】
１  表示制御装置
１０  制御部
１１  接続部
１２  筐体
１３  記憶部
１４  音声入力部
１５  センサ
１６  通信部
１１Ｐ  制御プログラム
１２Ｐ  音声認識プログラム
１Ｄ  コンテンツ
２  表示装置
【図１】
2018205628.tif 000003
【図２】
2018205628.tif 000004
【図３】
2018205628.tif 000005
【図４】
2018205628.tif 000006
【図５】
2018205628.tif 000007
【図６】
2018205628.tif 000008
【図７】
2018205628.tif 000009